(57)【要約】      （修正有）【課題】清掃部の歯間への挿入性の低下を抑制しつつ、歯の側面及び歯間の清掃性を高めることが可能な歯間清掃具を提供すること。【解決手段】歯間清掃具２であって、軸部２０と把持部３０とを有する基部１０と、清掃部４０と、を備え、清掃部４０は、清掃部本体４２と複数のブラシ部４４とを有し、各ブラシ部４４は、軸交差方向について清掃部本体から外向きに突出する形状を有するブラシ本体と、軸部２０）の中心軸及びブラシ本体の中心軸を含む平面である基準平面でブラシ本体を切断したときのブラシ本体の外縁から基準平面内において外向きに突出するとともに、ブラシ本体の外縁に沿って連続的につながる形状を有する突出部と、を有すること。【選択図】図１
2019005418.tif 000002
【特許請求の範囲】
【請求項１】
特定方向に延びるとともに歯間に挿通されることが可能な形状を有し、かつ、前記特定方向の一端に形成された挿入端部及び前記特定方向の他端に形成された基端部を有する軸部と、前記基端部から前記特定方向に沿って前記軸部から離間するように延びており、指で把持されることが可能な形状を有する把持部と、を有する基部と、
前記基部の硬度よりも低い硬度を有するエラストマーからなり、前記軸部の少なくとも一部を被覆するとともに歯間を清掃可能な清掃部と、を備え、
前記清掃部は、
前記軸部の外周面を被覆する清掃部本体と、
前記清掃部本体に接続された複数のブラシ部と、を有し、
各ブラシ部は、
前記特定方向と交差する方向である軸交差方向について前記清掃部本体から外向きに突出する形状を有するブラシ本体と、
前記軸部の中心軸及び前記ブラシ本体の中心軸を含む平面である基準平面で前記ブラシ本体を切断したときのブラシ本体の外縁から前記基準平面内において外向きに突出するとともに、前記ブラシ本体の外縁に沿って連続的につながる形状を有する突出部と、を有する、歯間清掃具。
【請求項２】
請求項１に記載の歯間清掃具において、
前記基準平面内における前記突出部の前記ブラシ本体からの突出寸法は、０．０１ｍｍ以上０．８ｍｍ以下である、歯間清掃具。
【請求項３】
請求項１又は２に記載の歯間清掃具において、
前記特定方向と直交する方向である第１方向についての前記把持部の寸法よりも、前記特定方向及び前記第１方向の双方に直交する方向である第２方向についての前記把持部の寸法の方が大きく、
前記複数のブラシ部は、前記清掃部本体から前記軸交差方向と平行でかつ前記第２方向と交差する方向に突出する形状を有する交差ブラシ部を含む、歯間清掃具。
【請求項４】
請求項１ないし３のいずれかに記載の歯間清掃具において、
前記清掃部の先端から前記把持部側に１．５ｍｍ離間した位置における前記清掃部本体の外径は、０．４ｍｍ以上０．８ｍｍ以下であり、前記清掃部の先端から前記把持部側に１．５ｍｍ離間した位置における前記軸部の直径は、０．３５ｍｍ以上０．５５ｍｍ以下であり、
前記清掃部の先端から前記把持部側に１０ｍｍ離間した位置における前記清掃部本体の外径は、０．４ｍｍ以上１．２ｍｍ以下であり、前記清掃部の先端から前記把持部側に１０ｍｍ離間した位置における前記軸部の直径は、０．３５ｍｍ以上０．８ｍｍ以下である、歯間清掃具。
【請求項５】
特定方向に延びるとともに歯間に挿通されることが可能な形状を有し、かつ、前記特定方向の一端に形成された挿入端部及び前記特定方向の他端に形成された基端部を有する軸部と、前記基端部から前記特定方向に沿って前記軸部から離間するように延びており、指で把持されることが可能な形状を有する把持部と、を有する基部と、
前記基部の硬度よりも低い硬度を有するエラストマーからなり、前記軸部の少なくとも一部を被覆するとともに歯間を清掃可能な清掃部と、を備え、
前記清掃部は、
前記軸部の外周面を被覆する清掃部本体と、
前記特定方向と交差する方向である軸交差方向について前記清掃部本体の外周面から外向きに突出する形状を有する複数のブラシ部と、を有し、
前記軸交差方向と直交する平面での各ブラシ部の断面における前記特定方向と平行な方向の寸法は、各ブラシ部の前記断面における前記特定方向と直交する方向の寸法よりも大きい、歯間清掃具。
【発明の詳細な説明】
【技術分野】
【０００１】
本発明は、歯間清掃具に関する。
【背景技術】
【０００２】
従来、歯間を清掃するための歯間清掃具が知られている。例えば、特許文献１には、特定方向に延びる形状を有する基部と、エラストマーからなり歯間を清掃可能な清掃部と、を備える歯間清掃具が開示されている。基部は、歯間に挿通されることが可能でかつ直線状に延びる形状を有する軸部と、指で把持されることが可能な形状を有する把持部と、を有している。清掃部は、軸部の外周面の一部を被覆する清掃部本体と、清掃部本体に接続された複数のブラシ部と、を有している。各ブラシ部は、軸部の軸方向と直交する方向について清掃部本体の外周面から外向きに突出する形状を有している。各ブラシ部は、円錐状に形成されている。
【先行技術文献】
【特許文献】
【０００３】
【特許文献１】国際公開第２０１３／１７６２９７号
【発明の概要】
【発明が解決しようとする課題】
【０００４】
特許文献１に記載されるような歯間清掃具では、歯の側面及び歯間の清掃性（掻き取り性）を高めたいというニーズがある。そこで、各ブラシ部の形状を大きくすること（各ブラシ部を太くすること）が考えられるが、そうすると、清掃部の歯間への挿入性が低下する。
【０００５】
本発明の目的は、清掃部の歯間への挿入性の低下を抑制しつつ、歯の側面及び歯間の清掃性を高めることが可能な歯間清掃具を提供することである。
【課題を解決するための手段】
【０００６】
前記課題を解決するために鋭意検討した結果、本発明者らは、ブラシ部は、歯間に挿入されるときには、軸部の中心軸及び当該ブラシ部の中心軸を含む面内において当該ブラシ部の先端部が当該ブラシ部の基端部に対して清掃部の先端側から把持部側に向かって変位するように弾性変形しながら歯の側面及び歯間を清掃し、一方、歯間から抜かれるときには、歯間に挿入されるときとは逆の挙動を示しながら歯の側面及び歯間を清掃することに着目した。そして、各ブラシ部の外形を全体的に大型化するのではなく、清掃部が歯間に挿抜されるときにブラシ部に作用する外力に対する当該ブラシ部の曲げ剛性を高めることにより、上記課題を解決可能であることに想到した。
【０００７】
本発明はこのような観点からなされたものである。具体的に、本発明は、特定方向に延びるとともに歯間に挿通されることが可能な形状を有し、かつ、前記特定方向の一端に形成された挿入端部及び前記特定方向の他端に形成された基端部を有する軸部と、前記基端部から前記特定方向に沿って前記軸部から離間するように延びており、指で把持されることが可能な形状を有する把持部と、を有する基部と、前記基部の硬度よりも低い硬度を有するエラストマーからなり、前記軸部の少なくとも一部を被覆するとともに歯間を清掃可能な清掃部と、を備え、前記清掃部は、前記軸部の外周面を被覆する清掃部本体と、前記清掃部本体に接続された複数のブラシ部と、を有し、各ブラシ部は、前記特定方向と交差する方向である軸交差方向について前記清掃部本体から外向きに突出する形状を有するブラシ本体と、前記軸部の中心軸及び前記ブラシ本体の中心軸を含む平面である基準平面で前記ブラシ本体を切断したときのブラシ本体の外縁から前記基準平面内において外向きに突出するとともに、前記ブラシ本体の外縁に沿って連続的につながる形状を有する突出部と、を有する、歯間清掃具を提供する。
【０００８】
本歯間清掃具の清掃部が歯間に挿抜される際、ブラシ部には、前記基準平面内においてブラシ本体の軸方向と直交する方向の外力が作用する。本歯間清掃具では、各ブラシ部がブラシ本体から突出する突出部を有し、この突出部は、基準平面でブラシ本体を切断したときのブラシ本体の外縁から基準平面内において外向きに突出するとともに、ブラシ本体の外縁に沿って連続的につながる形状を有しているため、清掃部が歯間に挿抜されるときにブラシ部に作用する外力に対する当該ブラシ部の曲げ剛性が高くなる。よって、ブラシ部全体が大型化される場合に比べて清掃部の歯間への挿入性の低下が抑制され、かつ、歯の側面及び歯間の清掃性が高まる。
【０００９】
この場合において、前記基準平面内における前記突出部の前記ブラシ本体からの突出寸法は、０．０１ｍｍ以上であることが好ましく、０．０３ｍｍ以上であることがより好ましく、０．１ｍｍ以上であることがより一層好ましく、０．１５ｍｍ以上であることが更に好ましく、０．２ｍｍ以上であることが特に好ましい。また、前記基準平面内における前記突出部の前記ブラシ本体からの突出寸法は、０．８ｍｍ以下であることが好ましく、０．５ｍｍ以下であることがより好ましい。
【００１０】
また、前記歯間清掃具において、前記特定方向と直交する方向である第１方向についての前記把持部の寸法よりも、前記特定方向及び前記第１方向の双方に直交する方向である第２方向についての前記把持部の寸法の方が大きく、前記複数のブラシ部は、前記清掃部本体から前記軸交差方向と平行でかつ前記第２方向と交差する方向に突出する形状を有する交差ブラシ部を含むことが好ましい。
【００１１】
このようにすれば、特に臼歯同士の歯間の清掃時に有効に臼歯の側面を清掃することが可能となる。具体的に、第１方向についての把持部の寸法よりも第２方向についての把持部の寸法の方が大きい場合（把持部が扁平である場合）、臼歯同士の歯間の清掃時には、軸部の軸方向と直交する平面での把持部の断面における当該把持部の長手方向（第２方向）が略鉛直と平行となる姿勢で清掃部が歯間に清掃されることが多く、また、臼歯の側面を有効に清掃するために当該側面に対して清掃部が比較的強く押し当てられるように把持部が操作される傾向にある。本歯間清掃具では、複数のブラシ部が第２方向と交差する方向に突出する形状を有する交差ブラシ部を有しており、当該交差ブラシ部のブラシ本体の曲げ剛性は突出部により高められているので、臼歯の側面が有効に清掃される。
【００１２】
また、前記歯間清掃具において、前記清掃部の先端から前記把持部側に１．５ｍｍ離間した位置における前記清掃部本体の外径は、０．４ｍｍ以上０．８ｍｍ以下であることが好ましく、０．４ｍｍ以上０．７ｍｍ以下であることがより好ましく、０．４ｍｍ以上０．６ｍｍ以下であることが更に好ましく、０．４ｍｍ以上０．５６ｍｍ以下であることが特に好ましい。また、前記歯間清掃具において、前記清掃部の先端から前記把持部側に１．５ｍｍ離間した位置における前記軸部の直径は、０．３５ｍｍ以上０．５５ｍｍ以下であることが好ましく、０．３５ｍｍ以上０．４５ｍｍ以下であることがより好ましく、０．３５ｍｍ以上０．４１ｍｍ以下であることが更に好ましい。
【００１３】
また、前記歯間清掃具において、前記清掃部の先端から前記把持部側に１０ｍｍ離間した位置における前記清掃部本体の外径は、０．４ｍｍ以上であることが好ましく、０．５ｍｍ以上であることがより好ましく、０．６ｍｍ以上であることが更に好ましく、０．７ｍｍ以上であることが特に好ましい。一方、前記清掃部の先端から前記把持部側に１０ｍｍ離間した位置における前記清掃部本体の外径は、１．２ｍｍ以下であることが好ましく、１．１ｍｍ以下であることがより好ましく、０．９ｍｍ以下であることが更に好ましく、０．８５ｍｍであることが特に好ましい。
【００１４】
また、前記清掃部の先端から前記把持部側に１０ｍｍ離間した位置における前記軸部の直径は、０．３５ｍｍ以上であることが好ましく、０．５ｍｍ以上であることがより好ましく、０．６ｍｍ以上であることが更に好ましい。一方、前記清掃部の先端から前記把持部側に１０ｍｍ離間した位置における前記軸部の直径は、０．８ｍｍ以下であることが好ましく、０．７ｍｍ以下であることがより好ましい。
【００１５】
このようにすれば、歯間清掃具が比較的細い場合であっても上記効果が得られる。
【００１６】
また、本発明は、特定方向に延びるとともに歯間に挿通されることが可能な形状を有し、かつ、前記特定方向の一端に形成された挿入端部及び前記特定方向の他端に形成された基端部を有する軸部と、前記基端部から前記特定方向に沿って前記軸部から離間するように延びており、指で把持されることが可能な形状を有する把持部と、を有する基部と、前記基部の硬度よりも低い硬度を有するエラストマーからなり、前記軸部の少なくとも一部を被覆するとともに歯間を清掃可能な清掃部と、を備え、前記清掃部は、前記軸部の外周面を被覆する清掃部本体と、前記特定方向と直交する方向である軸直交方向について前記清掃部本体の外周面から外向きに突出する形状を有する複数のブラシ部と、を有し、前記軸直交方向と直交する平面での各ブラシ部の断面における前記特定方向と平行な方向の寸法は、各ブラシ部の前記断面における前記特定方向と直交する方向の寸法よりも大きい、歯間清掃具を提供する。
【００１７】
本歯間清掃具では、各ブラシ部の断面における特定方向と平行な方向の寸法の方が同断面における特定方向と直交する方向の寸法よりも大きいので、清掃部が歯間に挿抜されるときにブラシ部に作用する外力に対する当該ブラシ部の曲げ剛性が高くなる。よって、ブラシ部全体が大型化される場合に比べて清掃部の歯間への挿入性の低下が抑制され、かつ、歯の側面及び歯間の清掃性が高まる。
【発明の効果】
【００１８】
以上のように、本発明によれば、清掃部の歯間への挿入性の低下を抑制しつつ、歯の側面及び歯間の清掃性を高めることが可能な歯間清掃具を提供することができる。
【図面の簡単な説明】
【００１９】
【図１】本発明の一実施形態の歯間清掃具群の正面図である。
【図２】ブラシ部の拡大図である。
【図３】図２のＩＩＩ−ＩＩＩ線での断面図である。
【図４】臼歯（奥歯）同士の歯間に歯間清掃具が挿入される様子の概略を示す図である。
【発明を実施するための形態】
【００２０】
本発明の一実施形態の歯間清掃具２について、図１〜図４を参照しながら説明する。図１は、互いに接続された複数の（本実施形態では１０本の）歯間清掃具２を含む歯間清掃具群１を示している。互いに隣接する歯間清掃具２同士は、接続部３２により接続されている。各歯間清掃具２は、合成樹脂からなる基部１０と、合成樹脂の硬度よりも低い硬度を有するエラストマーからなる清掃部４０と、を有する。
【００２１】
基部１０は、軸部２０と、把持部３０と、を有する。この基部１０は、ポリプロピレン、ポリエチレン、ＡＢＳ、ポリブチレンテレフタレート、ポリカーボネート、ポリエチレンテレフタレート、ポリスチレン、ポリアセタール、ポリアミド等の合成樹脂により形成される。本実施形態では、基部１０は、３０重量％のガラス繊維を含有するポリプロピレンにより形成されている。
【００２２】
軸部２０は、特定方向（図１の左右方向）に沿って直線状に延びるとともに歯間に挿通されることが可能な形状を有する。軸部２０の一端（図１の左端）には、挿入端部が形成されており、軸部２０の他端には、基端部が形成されている。軸部２０は、基端部から挿入端部に向かうにしたがって次第にその外形が小さくなる形状を有する。図４に示されるように、軸部２０の軸方向と直交する平面での軸部２０の断面（以下、「軸直交断面」と称する。）は、円形である。
【００２３】
把持部３０は、軸部２０の軸方向に沿って軸部２０の基端部から離間するように延びており、指で把持されることが可能な形状を有する。把持部３０は、扁平に形成されている。具体的に、特定方向と直交する方向である第１方向についての把持部３０の寸法よりも、特定方向及び第１方向の双方に直交する方向である第２方向（図１の上下方向）についての把持部３０の寸法の方が大きい。
【００２４】
清掃部４０は、歯間を清掃するための部位であり、基部１０の硬度よりも低い硬度を有するエラストマーにより形成されている。本実施形態では、前記エラストマーとして、スチレン系エラストマーが用いられている。ただし、前記エラストマーとして、シリコン、オレフィン系エラストマー、ポリエステル系エラストマー等が用いられてもよい。本実施形態では、清掃部４０は、清掃部本体４２と、複数のブラシ部４４と、を有する。また、前記エラストマーの硬度としては、デュロメータ硬さタイプＡ（ＪＩＳＫ６２５３）が、１０〜５０であることが好ましく、１０〜４０であることがより好ましく、本実施形態では、前記デュロメータ硬さタイプＡは３５である。
【００２５】
清掃部本体４２は、軸部２０の外周面の少なくとも一部（挿入端部を含む部位）を被覆する形状を有する。軸部２０の軸方向についての清掃部本体４２の長さは、１５．５ｍｍに設定されている。清掃部４０の先端から把持部３０側に１．５ｍｍ離間した位置における清掃部本体４２の外径は、０．５５ｍｍであり、清掃部４０の先端から把持部３０側に１．５ｍｍ離間した位置における軸部２０の直径は、０．４ｍｍである。また、清掃部４０の先端から把持部３０側に１０ｍｍ離間した位置における清掃部本体４２の外径は、０．８５ｍｍであり、清掃部４０の先端から把持部３０側に１０ｍｍ離間した位置における軸部２０の直径は、０．６７ｍｍである。
【００２６】
各ブラシ部４４は、清掃部本体４２の外周面に設けられている。図２及び図３に示されるように、各ブラシ部４４は、ブラシ本体４６と、突出部４８と、を有する。なお、図１では、突出部４８の図示は省略されている。
【００２７】
ブラシ本体４６は、軸部２０の軸方向と交差する方向である軸交差方向について清掃部本体４２の外周面からの外向きに突出する形状を有する。好ましくは、ブラシ本体４６は、軸部２０の軸方向と直交する軸直交方向について清掃部本体４２の外周面から外向きに突出するとともに、清掃部本体４２から離間するにしたがって次第にその外形が小さくなる形状を有する。本実施形態では、各ブラシ本体４６は、円錐状に形成されている。
【００２８】
突出部４８は、軸部２０の中心軸及びブラシ本体４６の中心軸Ｏ（図３を参照）を含む平面である基準平面Ｐ（図３を参照）でブラシ本体４６を切断したときのブラシ本体４６の外縁から基準平面Ｐ内において外向きに突出するとともに、ブラシ本体４６の外縁に沿って連続的につながる形状を有する。基準平面Ｐ内における突出部４８のブラシ本体４６からの突出寸法ｄは、０．１ｍｍである。ブラシ本体４６の中心軸Ｏと直交する平面でのブラシ部４４の断面におけるブラシ本体４６の基端部の直径に対する突出部４８の突出寸法ｄの割合の下限値は、歯間への挿入性の低下が抑制され、かつ、歯の側面及び歯間の清掃性が高まるという観点から、通常、１％に設定され、４．３％に設定されることが好ましく、２０％に設定されることがより好ましく、３７．５％に設定されることが更に好ましく、５０％に設定されることが特に好ましい。また、前記割合の上限値は、歯間への挿入性の低下が抑制され、かつ、歯の側面及び歯間の清掃性が高まるという観点から、通常、２００％に設定され、１２５％に設定されることが好ましく、１００％に設定されることがより好ましい。
【００２９】
また、ブラシ本体４６の中心軸Ｏと直交する平面でのブラシ部４４の断面におけるブラシ本体４６の基端部の直径は、０．５４ｍｍである。この直径の下限値は、歯間への挿入性の低下が抑制され、かつ、歯の側面及び歯間の清掃性が高まるという観点から、０．１ｍｍに設定されることが好ましく、０．１５ｍｍに設定されることがより好ましい。前記直径の上限値は、歯間への挿入性の低下が抑制され、かつ、歯の側面及び歯間の清掃性が高まるという観点から、１ｍｍに設定されることが好ましく、０．７ｍｍに設定されることがより好ましく、０．５ｍｍに設定されることが更に好ましく、０．４ｍｍに設定されることが特に好ましい。
【００３０】
ブラシ本体４６の中心軸Ｏを含む平面でブラシ本体４６を切断したときのブラシ本体４６の基端部から先端部までの長さは、０．５ｍｍである。この長さの下限値は、歯間への挿入性の低下が抑制され、かつ、歯の側面及び歯間の清掃性が高まるという観点から、０．１ｍｍに設定されることが好ましく、０．３ｍｍに設定されることがより好ましい。前記長さの上限値は、歯間への挿入性の低下が抑制され、かつ、歯の側面及び歯間の清掃性が高まるという観点から、２．５ｍｍに設定されることが好ましく、２ｍｍに設定されることがより好ましく、１．８ｍｍに設定されることが更に好ましく、１．７ｍｍに設定されることが特に好ましい。また、前記ブラシ本体４６の前記長さは、清掃部本体４２の把持部側から先端側に向け、次第に短くなることが好ましい。
【００３１】
図４に示されるように、複数のブラシ部４４は、清掃部本体４２から前記軸交差方向と平行（本実施形態では前記軸直交方向と平行）でかつ前記第２方向（図４の上下方向）と交差する方向に突出する形状を有する交差ブラシ部４４ａを含む。
【００３２】
次に、図４を参照しながら、以上に説明した歯間清掃具２で例えば臼歯（奥歯）Ｔ同士の歯間を清掃する場合について説明する。本実施形態のように、扁平に形成された把持部３０と直線状に延びる形状を有する軸部２０とを備える歯間清掃具２で臼歯Ｔ同士の歯間が清掃される際、当該歯間清掃具２の使用者は、軸直交断面における把持部３０の長手方向（図４では上下方向）が略鉛直となる姿勢で把持部３０を把持した状態で清掃部４０を臼歯Ｔ同士の歯間に向けて口腔内に挿入することが多い。そして、使用者は、清掃部４０が歯間に沿って移動するように把持部３０を操作する。このとき、臼歯Ｔの側面は、軸直交断面における把持部３０の長手方向（第２方向）と交差する方向に清掃部本体４２から離間した位置に存在するが、本実施形態の歯間清掃具２の複数のブラシ部４４は、第２方向と交差する方向に清掃部本体４２から突出する形状を有する交差ブラシ部４４ａを有しているので、臼歯Ｔの側面が有効に清掃される。
【００３３】
また、前記歯間に沿って清掃部４０が挿抜される際、各ブラシ部４４（特に交差ブラシ部４４ａ）には、基準平面Ｐ内においてブラシ本体４６の軸方向と直交する方向の外力が作用する。ここで、本実施形態の歯間清掃具２では、各ブラシ部４４がブラシ本体４６から突出する突出部４８を有し、この突出部４８は、基準平面Ｐでブラシ本体４６を切断したときのブラシ本体４６の外縁から基準平面Ｐ内において外向きに突出するとともに、ブラシ本体４６の外縁に沿って連続的につながる形状を有しているため、清掃部４０が歯間に沿って挿抜されるときにブラシ部４４に作用する外力に対する当該ブラシ部４４の曲げ剛性が高くなる。よって、ブラシ部４４全体が大型化される場合に比べて清掃部４０の歯間への挿入性の低下が抑制され、かつ、歯の側面及び歯間の清掃性が高まる。
【００３４】
なお、今回開示された上記実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３５】
ブラシ部４４の形状は、上記の例に限られない。例えば、軸直交方向と直交する平面での各ブラシ部４４の断面における前記特定方向と平行な方向の寸法が、各ブラシ部４４の前記断面における特定方向と直交する方向の寸法よりも大きくてもよい。このようにしても、清掃部４０が歯間に挿抜されるときにブラシ部４４に作用する外力に対する当該ブラシ部４４の曲げ剛性が高くなる。よって、上記実施形態と同様の効果が得られる。
【００３６】
また、基準平面Ｐ内における突出部４８の突出寸法ｄは、ブラシ本体４６の外縁に沿って同一である必要はなく、基準平面Ｐ内における突出部４８の外縁が、例えば、波形状になっていてもよい。
【符号の説明】
【００３７】
１    歯間清掃具群
２    歯間清掃具
１０    基部
２０    軸部
３０    把持部
４０    清掃部
４２    清掃部本体
４４    ブラシ部
４４ａ  交差ブラシ部
４６    ブラシ本体
４８    突出部
【図１】
2019005418.tif 000003
【図２】
2019005418.tif 000004
【図３】
2019005418.tif 000005
【図４】
2019005418.tif 000006